(57)【特許請求の範囲】
【請求項１】
方形のフラットディスプレイパネルと、前記フラットディスプレイパネルを包囲するフロントケース及びリアケースとを備えたディスプレイ装置であって、
前記フラットディスプレイパネルと該フラットディスプレイパネルを駆動する回路基板とを支持する支持部材の前面に設けられた保護パネルと前記リアフレームとにより該支持部材を囲うサイドフレーム
をさらに備え、
前記リアケースは、
隅部に固着部材を用いることで当該ディスプレイ装置を壁面に取り付ける第２の取付け部を有し、
前記サイドフレームは、
前記フロントケースを前記固着部材によって取り付ける第１の取付け部を有し、
前記第２の取付け部を通して前記固着部材により前記ディスプレイ装置を壁面に取り付けるときに該第２の取付け部を塞がないように設け、前記第２の取付け部を覆うフロントケースを前記第１の取付け部を通して前記固着部材により取り付けることを特徴とするディスプレイ装置。
【発明の詳細な説明】
【０００１】
【発明の属する技術分野】
本発明は、フラットディスプレイパネルを使用したディスプレイ装置に関し、特には、プラズマディスプレイパネル、液晶ディスプレイパネル、有機ＥＬディスプレイパネル、フィールドエミッションディスプレイ（ＦＥＤ）パネル等のフラットパネルディスプレイを壁面に装着する構造を備えたディスプレイ装置に関する。
【０００２】
【従来の技術】
プラズマディスプレイパネル、液晶ディスプレイパネル、有機ＥＬディスプレイパネル、フィールドエミッションディスプレイ（ＦＥＤ）パネルのようなフラットディスプレイパネルは、放熱板又は支持板として作用するシャーシに制御回路基板と共に取り付けられ、フロントケースとリアケースで挟むように包囲してディスプレイ装置を形成している。
【０００３】
このようなディスプレイ装置は、薄型であることから壁面に装着して、室内空間を有効に活用できるディスプレイ装置として期待されている。従来、このようなディスプレイ装置を壁面に固定する場合、専用の取付金具を介した取り付けがなされており、ディスプレイ装置の裏面に取付金具をねじ止めした後、この取付金具を壁面にねじで取り付けるか、或いは取付金具を先に壁面にねじで取り付けた後に、取付金具とディスプレイ装置をねじ等で結合していた。
【０００４】
【発明が解決しようとする課題】
このようにディスプレイ装置の裏面を取付面として、これを取付金具を介して壁面に固定する場合には、ディスプレイ装置の裏面と壁面の間に取付金具及びその取り付けに用いられるねじ等の結合部品を介在させるスペースが必要となるだけでなく、取り付けのための作業を行うスペースをも確保する必要があるため、ディスプレイ装置を壁面に密着させて取り付けることができず、薄型ディスプレイ装置の省スペース性というメリットを充分に発揮できない。更に、取付作業自体が狭隈部での作業となって作業性が悪い。
【０００５】
また、取付金具を用いないで壁面に固定するには、壁に穴を開け、壁の裏側から取り付けることも考えられるが、取付作業が大掛かりとなってコストがかかると共に、家屋を大きく傷つけることになるので嫌厭されることが多い。
【０００６】
又別の取付構造としては、取付金具をディスプレイの裏面から外側にはみ出させて取り付けることも考えられるが、取付金具の固定部が前面側から見えてしまい、外観が損なわれるという問題があった。
【０００７】
本発明は、上述の事情に対処するために提案されたものであって、薄型のディスプレイ装置を壁面に固定するにあたって、省スペース性、作業性、外観性を向上させたディスプレイ装置を提供することを目的とするものである。
【０００８】
【課題を解決するための手段】
このような目的を達成するために、本発明によるディスプレイ装置は以下の特徴をなす。
【０００９】
請求項１に係る発明においては、方形のフラットディスプレイパネルと、前記フラットディスプレイパネルを包囲するフロントケース及びリアケースとを備えたディスプレイ装置であって、前記フラットディスプレイパネルと該フラットディスプレイパネルを駆動する回路基板とを支持する支持部材の前面に設けられた保護パネルと前記リアフレームとにより該支持部材を囲うサイドフレームをさらに備え、前記リアケースは、隅部に固着部材を用いることで当該ディスプレイ装置を壁面に取り付ける第２の取付け部を有し、前記サイドフレームは、前記フロントケースを前記固着部材によって取り付ける第１の取付け部を有し、前記第２の取付け部を通して前記固着部材により前記ディスプレイ装置を壁面に取り付けるときに該第２の取付け部を塞がないように設け、前記第２の取付け部を覆うフロントケースを前記第１の取付け部を通して前記固着部材により取り付けることを特徴とする。
【００１２】
このような特徴を具備する各請求項に係るディスプレイ装置は、以下の作用をなす。
【００１３】
つまり上述の各構成を備えることにより、ディスプレイ装置は、フロントケースを取り外した状態で、リアケースの隅部に設けられた第２の取付部により、前面側から壁面に固定される。そして、第１の取付部にフロントケースを前面側から取り付けることで、リアケースの隅部に設けられた第２の取付部はフロントケースの背面側に隠れる。したがって、ディスプレイ装置の裏面（リアケースの裏面）を壁面に密着させた取り付けが可能となり、また、壁面への取り付けを前面側から行うので作業性もよい。更には、フロントケースを取り付けることで壁面への取付部となる第２の取付部を覆い隠すので外観性も良い。
【００１４】
また上述の作用に加えて、第２の取付部をリアケースの四隅に設けることにより、壁面への固定を安定化させることができ、リアケースの裏面に補強板を設けて、これを介して壁面への固定を行うことにより、強固且つ耐久性のある固定を行うことができる。
【００１５】
【発明の実施の形態】
以下、本発明の実施形態を図面を参照して説明する。本実施形態においては、プラズマディスプレイパネル（ＰＤＰ）を例にして説明するが、本発明はこれに限定されるものではなく、液晶ディスプレイパネル、有機ＥＬディスプレイパネル、フィールドエミッションディスプレイ（ＦＥＤ）パネル等のフラットディスプレイパネルに対して適用できるものである。
【００１６】
図１は、本発明のディスプレイ装置の構造を示す説明図であって、後述する図２におけるｘｘ断面図である。このディスプレイ装置は、放電空間を介して２枚のガラス基板（前面基板及び背面基板）を貼り合わせてなる、方形のプラズマディスプレイパネル１からなるもので、このプラズマディスプレイパネル１とこれを駆動する回路基板２とがシャーシ３を介して一体に形成されている。
【００１７】
シャーシ３は、アルミニウム等からなる金属製の板状部材であり、その表裏面にプラズマディスプレイパネル１と回路基板２とを支持する支持部材であると共に、その良好な熱伝導性により放熱部材としても機能している。
【００１８】
そして、プラズマディスプレイパネル１と回路基板２とは、図示省略したフレキシブルケーブルにより電気的に接続されており、また、シャーシ３は、両面接着テープ（図示せず）を用いてプラズマディスプレイパネル１の裏面（背面基板の外表面）に固着されている。
【００１９】
このシャーシ３の４辺には、Ｌ字状に折り曲げられた支持部３ａが形成されており、この支持部３ａにコの字状のサイドフレーム４の一端が複数の固定ビスで固着されている。このサイドフレーム４の他端には、ディスプレイパネルの前面側を覆うように配置された透明な保護パネル５が固着されている。
【００２０】
このようなディスプレイ装置は、上述のプラズマディスプレイパネル１をリアケース６とフロントケース７とで包囲した構造としている。フロントケース７は、保護パネル５とサイドフレーム４とを前面側から覆う筐体部材であって、その前面には、ディスプレイパネルの表示開口部７ａが形成されている。そして、その側部には、一方側にフック７ｂ，他方側に取付穴７ｃがそれぞれ形成されており、サイドフレームの側面に形成された係合穴４ａ，ねじ孔４ｂと取り付けねじ７ｄとによって、第１の取付部を形成している。また、リアケース６は、サイドフレーム４を裏面側から覆う筐体部材であって、サイドフレーム４の裏面にビス等の固着部材によって固着されている。
【００２１】
図２及び図３は、本発明のディスプレイ装置の取付構造を示す説明図である。まず、フロントケース７の取付構造について説明すると、上述のフック７ｂをサイドフレーム４の係合穴４ａに係合させ、取付穴７ｃをサイドフレーム４のねじ孔４ｂに合わせて、取り付けねじ７ｄを締め付けることによって、フロントケース７を前面側から取り付けることができ、また、取り付けねじ７ｄ及びフック７ｂを外すことによって、容易に取り外しができる。
【００２２】
そして、フロントケース７を図２の矢印のように外した状態で、ディスプレイ装置を壁面に取り付ける。ディスプレイ装置を壁面に取り付けるために、リアケース６には第２の取付部Ａを設けている。その詳細を図３によって説明すると、リアケース６の四隅には取付穴６ａが形成されており、この取付穴６ａの前面側には、フロントケース７を外した状態で、前側より、ねじ止め作業がし易いような空間が形成されている。また、リアケース６の裏面には、必要に応じて、補強板８が取り付けられている。これは、取付穴８ａからねじ１０を通してリアケース６の裏面にねじ止めすることによって取り付けられる。このねじ１０に関しては、補強板８の裏面にねじの頭が突出しないように、平ねじを用いるか、或いは補強板８の裏面に窪みを形成することが望ましい。そして、前面側から取り付けねじ９がリアケース６の取付穴６ａ及び補強板の取付穴８ｂに通され、壁面にねじ止めされることで、ディスプレイ装置の壁面への固定がなされる。
【００２３】
ディスプレイ装置の壁面への固定がなされた後、フロントケース７が上述した第１の取付部に取り付けられ、ディスプレイ装置の前面側が覆われる。これによって、上述した第２の取付部Ａは、フロントケース７の背面側に隠れることになるので、取付部が前面に露出して外観を損ねることがない。
【００２４】
つまり、上述した構造を備えるディスプレイ装置は、必要に応じて薄い補強板８を介するものの、リアケース６の裏面と壁面との間にスペースを形成することなく壁面への固定を行うことができるので、薄型のディスプレイ装置のメリットを生かした省スペース性が確保できる。また、フロントケース７を取り外した状態では、第２の取付部Ａの前面側には充分な作業スペースが確保できるので、取り付け取り外しの作業性が良好であり、ディスプレイ装置の清掃又は修理に対して簡単に対処することができる。更には、壁面への固定後には、前面側にフロントケース７を取り付けることで、第２の取付部Ａが前面側に露出しない構造としているので、壁面にディスプレイ装置が貼り付いているような外観が得られ、インテリア性においても優れている。また、特に大掛かりな取り付け工事を要することもないので、取り付けコストもかからない。
【００２５】
【発明の効果】
本発明は上記のように構成されるので、フラットディスプレイパネルを備えたディスプレイ装置を壁面に取り付けるにあたって、良好な省スペース性、作業性、外観性を確保できると共に、取付作業の低コスト化が可能となる。
【図面の簡単な説明】
【図１】本発明のディスプレイ装置の構造を示す説明図であって、図２におけるｘｘ断面図である。
【図２】本発明のディスプレイ装置の取付構造を示す説明図である。
【図３】図３における要部を詳細に説明する説明図である。
【符号の説明】
１  プラズマディスプレイパネル
２  回路基板
３  シャーシ
４  サイドフレーム
５  保護パネル
６  リアケース
６ａ  取付穴
７  フロントケース
７ａ  表示開口部
７ｂ  フック
７ｃ  取付穴
７ｄ  取り付けねじ
８  補強板
９，１０  取り付けねじ
【図１】
0004650821.tif 000002
【図２】
0004650821.tif 000003
【図３】
0004650821.tif 000004